【手続補正書】
【提出日】平成26年7月22日(2014.7.22)
【手続補正１】
【補正対象書類名】特許請求の範囲
【補正対象項目名】全文
【補正方法】変更
【補正の内容】
【特許請求の範囲】
【請求項１】
移動通信システムにおける端末の動作方法であって、
無線リンク障害（ＲＬＦ：Ｒａｄｉｏ  Ｌｉｎｋ  Ｆａｉｌｕｒｅ）またはハンドオーバー失敗の発生有無を判断するステップと、
判断によって接続再設定または接続設定手続きを実行するステップと、
前記手続きを実行した後、基地局にＲＬＦ情報報告を送信するステップと、を含み、
前記ＲＬＦ情報報告は、前記端末がハンドオーバーのための最終命令を受信した時刻から前記ＲＬＦまたは前記ハンドオーバー失敗までに経過した時間に対する情報を含むことを特徴とする方法。
【請求項２】
前記ＲＬＦ情報報告を送信するステップは、
前記ＲＬＦまたは前記ハンドオーバー失敗前から予め定義された区間内に前記端末が前記ハンドオーバーの実行に成功するか否かを判断するステップと、
前記ＲＬＦまたは前記ハンドオーバー失敗前から予め定義された区間内に前記端末が前記ハンドオーバーの実行に成功したか否かを指示する情報を送信するステップと、を含むことを特徴とする請求項１に記載の方法。
【請求項３】
前記ＲＬＦ情報報告は、前記ＲＬＦまたは前記ハンドオーバー失敗前から予め定義された区間内に前記端末が前記ハンドオーバーの実行に成功したか否かに対する情報；前記ＲＬＦ及び前記ハンドオーバー失敗が発生した時の前記端末のサービングセル及び前記端末の隣接するセルに対する前記端末による測定結果；前記ＲＬＦまたは前記ハンドオーバー失敗が発生したセルへハンドオーバーする前に前記端末が位置するセルの識別情報；前記ＲＬＦまたは前記ハンドオーバー失敗が発生したセルの識別情報；前記ＲＬＦまたは前記ハンドオーバー失敗が発生した時刻から以後の前記接続再設定の成功または接続設定の成功までの間の時間の量；の中の少なくとも一つを含むことを特徴とする請求項１に記載の方法。
【請求項４】
前記ＲＬＦ情報報告を送信する前に、前記基地局から前記ＲＬＦ情報報告の送信に対する要求を受信するステップをさらに含むことを特徴とする請求項１に記載の方法。
【請求項５】
移動通信システムにおける第１基地局の動作方法であって、
第１基地局のセルでの無線リンク障害（ＲＬＦ：Ｒａｄｉｏ  Ｌｉｎｋ  Ｆａｉｌｕｒｅ）またはハンドオーバー失敗によって端末と接続再設定または接続設定手続きを実行するステップと、
前記端末からＲＬＦ情報報告を受信するステップと、
前記ＲＬＦ情報報告を前記第２基地局に送信するステップと、を含み、
前記ＲＬＦ情報報告は、前記端末がハンドオーバーのための最終命令を受信した時刻から前記ＲＬＦまたは前記ハンドオーバー失敗までに経過した時間に対する情報を含むことを特徴とする方法。
【請求項６】
前記ＲＬＦ情報報告は、前記ＲＬＦまたは前記ハンドオーバー失敗前から予め定義された区間内に前記端末が前記ハンドオーバーの実行に成功したか否かに対する情報；前記ＲＬＦ及び前記ハンドオーバー失敗が発生した時の前記端末のサービングセル及び前記端末の隣接するセルに対する前記端末による測定結果；前記ＲＬＦまたは前記ハンドオーバー失敗が発生したセルへハンドオーバーする前に前記端末が位置するセルの識別情報；前記ＲＬＦまたは前記ハンドオーバー失敗が発生したセルの識別情報；前記ＲＬＦまたは前記ハンドオーバー失敗が発生した時刻から以後の前記接続再設定の成功または接続設定の成功までの間の時間の量；の中の少なくとも一つを含むことを特徴とする請求項５に記載の方法。
【請求項７】
前記ＲＬＦまたは前記ハンドオーバー失敗前から予め定義された区間内に前記端末が前記ハンドオーバーの実行に成功したか否かに対する情報は、前記ＲＬＦまたは前記ハンドオーバー失敗前から予め定義された区間内に前記端末が前記ハンドオーバーの実行に成功したか否かを指示する情報を含むことを特徴とする請求項６に記載の方法。
【請求項８】
前記端末から前記ＲＬＦ情報報告を受信する前に、前記端末に前記ＲＬＦ情報報告の送信に対する要求を送信するステップをさらに含むことを特徴とする請求項５に記載の方法。
【請求項９】
移動通信システムにおける第１基地局の動作方法であって、
第２基地局から無線リンク障害（ＲＬＦ：Ｒａｄｉｏ  Ｌｉｎｋ  Ｆａｉｌｕｒｅ）またはハンドオーバー失敗以降に端末によって生成されたＲＬＦ情報報告を受信するステップと、
前記ＲＬＦ情報報告を用いて前記ＲＬＦまたは前記ハンドオーバー失敗の原因を判断するステップと、を含み、
前記ＲＬＦ情報報告は、前記端末がハンドオーバーのための最終命令を受信した時刻から前記ＲＬＦまたは前記ハンドオーバー失敗までに経過した時間に対する情報を含むことを特徴とする方法。
【請求項１０】
前記ＲＬＦ情報報告は、前記ＲＬＦまたは前記ハンドオーバー失敗前から予め定義された区間内に前記端末が前記ハンドオーバーの実行に成功したか否かに対する情報；前記ＲＬＦ及び前記ハンドオーバー失敗が発生した時の前記端末のサービングセル及び前記端末の隣接するセルに対する前記端末による測定結果；前記ＲＬＦまたは前記ハンドオーバー失敗が発生したセルへハンドオーバーする前に前記端末が位置するセルの識別情報；前記ＲＬＦまたは前記ハンドオーバー失敗が発生したセルの識別情報；前記ＲＬＦまたは前記ハンドオーバー失敗が発生した時刻から以後の前記接続再設定の成功または接続設定の成功までの間の時間の量；の中の少なくとも一つを含むことを特徴とする請求項９に記載の方法。
【請求項１１】
前記ＲＬＦまたは前記ハンドオーバー失敗前から予め定義された区間内に前記端末が前記ハンドオーバーの実行に成功したか否かに対する情報は、前記ＲＬＦまたは前記ハンドオーバー失敗前から予め定義された区間内に前記端末が前記ハンドオーバーの実行に成功したか否かを指示する情報を含むことを特徴とする請求項１０に記載の方法。
【請求項１２】
前記ＲＬＦまたは前記ハンドオーバー失敗の原因を判断するステップは、前記ＲＬＦまたは前記ハンドオーバー失敗前から予め定義された区間内にハンドオーバーを実行したことがないという条件、前記ＲＬＦ情報報告に良好な信号品質を持つセルに対する情報が含まれているという条件の中の少なくとも一つが満足される場合、前記ＲＬＦまたは前記ハンドオーバー失敗の原因があまりにも遅いハンドオーバーと判断するステップを含むことを特徴とする請求項９に記載の方法。
【請求項１３】
前記ＲＬＦまたは前記ハンドオーバー失敗の原因を判断するステップは、前記ＲＬＦまたは前記ハンドオーバー失敗前から予め定義された区間内にハンドオーバーを実行したという条件、前記ＲＬＦまたは前記ハンドオーバー失敗が発生したセルへハンドオーバーする前に前記端末が位置するセルが最高の信号品質を持つという条件の中の少なくとも一つが満足される場合、前記ＲＬＦまたは前記ハンドオーバー失敗の原因をあまりにも早いハンドオーバーと判断するステップを含むことを特徴とする請求項９に記載の方法。
【請求項１４】
前記ＲＬＦまたは前記ハンドオーバー失敗の原因を判断するステップは、前記ＲＬＦまたは前記ハンドオーバー失敗前から予め定義された区間内にハンドオーバーを実行したという条件、前記ＲＬＦまたは前記ハンドオーバー失敗が発生したセルへハンドオーバーする前に前記端末が位置するセルが最高の信号品質を持たないという条件の中の少なくとも一つが満足される場合、前記ＲＬＦまたは前記ハンドオーバー失敗の原因が誤ったセルへのハンドオーバーと判断するステップを含むことを特徴とする請求項９に記載の方法。
【請求項１５】
移動通信システムにおける端末装置であって、
無線リンク障害（ＲＬＦ：Ｒａｄｉｏ  Ｌｉｎｋ  Ｆａｉｌｕｒｅ）またはハンドオーバー失敗の発生有無を判断し、判断によって接続再設定または接続設定手続きを実行する制御部と、
前記手続きを実行した後、基地局にＲＬＦ情報報告を送信するモデムと、を含み、
前記ＲＬＦ情報報告は、前記端末がハンドオーバーのための最終命令を受信した時刻から前記ＲＬＦまたは前記ハンドオーバー失敗までに経過した時間に対する情報を含むことを特徴とする装置。
【請求項１６】
前記制御部は、前記ＲＬＦまたは前記ハンドオーバー失敗前から予め定義された区間内に前記端末が前記ハンドオーバーの実行に成功したか否かを判断し、
前記モデムは、前記ＲＬＦまたは前記ハンドオーバー失敗前から予め定義された区間内に前記端末が前記ハンドオーバーの実行に成功したか否かを指示する情報を送信することを特徴とする請求項１５に記載の装置。
【請求項１７】
前記ＲＬＦ情報報告は、前記ＲＬＦまたは前記ハンドオーバー失敗前から予め定義された区間内に前記端末が前記ハンドオーバーの実行に成功したか否かに対する情報；前記ＲＬＦ及び前記ハンドオーバー失敗が発生した時の前記端末のサービングセル及び前記端末の隣接するセルに対する前記端末による測定結果；前記ＲＬＦまたは前記ハンドオーバー失敗が発生したセルへハンドオーバーする前に前記端末が位置するセルの識別情報；前記ＲＬＦまたは前記ハンドオーバー失敗が発生したセルの識別情報；前記ＲＬＦまたは前記ハンドオーバー失敗が発生した時刻から以後の前記接続再設定の成功または接続設定の成功までの間の時間の量；の中の少なくとも一つを含むことを特徴とする請求項１５に記載の装置。
【請求項１８】
前記制御部は、前記ＲＬＦ情報報告を送信する前に、前記基地局から前記ＲＬＦ情報報告の送信に対する要求を受信するように制御することを特徴とする請求項１５に記載の装置。
【請求項１９】
移動通信システムにおける第１基地局装置であって、
第１基地局のセルでの無線リンク障害（ＲＬＦ：Ｒａｄｉｏ  Ｌｉｎｋ  Ｆａｉｌｕｒｅ）またはハンドオーバー失敗によって端末と接続再設定または接続設定手続きを実行する制御部と、
前記端末からＲＬＦ情報報告を受信するモデムと、
前記ＲＬＦ情報報告を前記第２基地局に送信するバックホール通信部と、を含み、
前記ＲＬＦ情報報告は、前記端末がハンドオーバーのための最終命令を受信した時刻から前記ＲＬＦまたは前記ハンドオーバー失敗までに経過した時間に対する情報を含むことを特徴とする装置。
【請求項２０】
前記ＲＬＦ情報報告は、前記ＲＬＦまたは前記ハンドオーバー失敗前から予め定義された区間内に前記端末が前記ハンドオーバーの実行に成功したか否かに対する情報；前記ＲＬＦ及び前記ハンドオーバー失敗が発生した時の前記端末のサービングセル及び前記端末の隣接するセルに対する前記端末による測定結果；前記ＲＬＦまたは前記ハンドオーバー失敗が発生したセルへハンドオーバーする前に前記端末が位置するセルの識別情報；前記ＲＬＦまたは前記ハンドオーバー失敗が発生したセルの識別情報；前記ＲＬＦまたは前記ハンドオーバー失敗が発生した時刻から以後の前記接続再設定の成功または接続設定の成功までの間の時間の量；の中の少なくとも一つを含むことを特徴とする請求項１９に記載の装置。
【請求項２１】
前記ＲＬＦまたは前記ハンドオーバー失敗前から予め定義された区間内に前記端末が前記ハンドオーバーの実行に成功したか否かに対する情報は、前記ＲＬＦまたは前記ハンドオーバー失敗前から予め定義された区間内に前記端末が前記ハンドオーバーの実行に成功したか否かを指示する情報を含むことを特徴とする請求項２０に記載の装置。
【請求項２２】
前記制御部は、前記端末から前記ＲＬＦ情報報告を受信する前に、前記端末に前記ＲＬＦ情報報告の送信に対する要求を送信するように制御することを特徴とする請求項１９に記載の装置。
【請求項２３】
移動通信システムにおける第１基地局装置であって、
第２基地局から無線リンク障害（ＲＬＦ：Ｒａｄｉｏ  Ｌｉｎｋ  Ｆａｉｌｕｒｅ）またはハンドオーバー失敗以降に端末によって生成されたＲＬＦ情報報告を受信するバックホール通信部と、
前記ＲＬＦ情報報告を用いて前記ＲＬＦまたは前記ハンドオーバー失敗の原因を判断する制御部と、を含み、
前記ＲＬＦ情報報告は、前記端末がハンドオーバーのための最終命令を受信した時刻から前記ＲＬＦまたは前記ハンドオーバー失敗までに経過した時間に対する情報を含むことを特徴とする装置。
【請求項２４】
前記ＲＬＦ情報報告は、前記ＲＬＦまたは前記ハンドオーバー失敗前から予め定義された区間内に前記端末が前記ハンドオーバーの実行に成功したか否かに対する情報；前記ＲＬＦ及び前記ハンドオーバー失敗が発生した時の前記端末のサービングセル及び前記端末の隣接するセルに対する前記端末による測定結果；前記ＲＬＦまたは前記ハンドオーバー失敗が発生したセルへハンドオーバーする前に前記端末が位置するセルの識別情報；前記ＲＬＦまたは前記ハンドオーバー失敗が発生したセルの識別情報；前記ＲＬＦまたは前記ハンドオーバー失敗が発生した時刻から以後の前記接続再設定の成功または接続設定の成功までの間の時間の量；の中の少なくとも一つを含むことを特徴とする請求項２３に記載の装置。
【請求項２５】
前記ＲＬＦまたは前記ハンドオーバー失敗前から予め定義された区間内に前記端末が前記ハンドオーバーの実行に成功したか否かに対する情報は、前記ＲＬＦまたは前記ハンドオーバー失敗前から予め定義された区間内に前記端末が前記ハンドオーバーの実行に成功したか否かを指示する情報を含むことを特徴とする請求項２４に記載の装置。
【請求項２６】
前記制御部は、前記ＲＬＦまたは前記ハンドオーバー失敗前から予め定義された区間内にハンドオーバーを実行したことがないという条件、前記ＲＬＦ情報報告に良好な信号品質を持つセルに対する情報が含まれているという条件の中の少なくとも一つが満足される場合、前記ＲＬＦまたは前記ハンドオーバー失敗の原因があまりにも遅いハンドオーバーと判断することを特徴とする請求項２３に記載の装置。
【請求項２７】
前記制御部は、前記ＲＬＦまたは前記ハンドオーバー失敗前から予め定義された区間内にハンドオーバーを実行したという条件、前記ＲＬＦまたは前記ハンドオーバー失敗が発生したセルへハンドオーバーする前に前記端末が位置するセルが最高の信号品質を持つという条件の中の少なくとも一つが満足される場合、前記ＲＬＦまたは前記ハンドオーバー失敗の原因をあまりにも早いハンドオーバーと判断することを特徴とする請求項２３に記載の装置。
【請求項２８】
前記制御部は、前記ＲＬＦまたは前記ハンドオーバー失敗前から予め定義された区間内にハンドオーバーを実行したという条件、前記ＲＬＦまたは前記ハンドオーバー失敗が発生したセルへハンドオーバーする前に前記端末が位置するセルが最高の信号品質を持たないという条件の中の少なくとも一つが満足される場合、前記ＲＬＦまたは前記ハンドオーバー失敗の原因が誤ったセルへのハンドオーバーと判断することを特徴とする請求項２３に記載の装置。